(57)【特許請求の範囲】
【請求項１】
先端にマイクロホンが取り付けられた支持パイプを、角度、方向および高さを含めて任意に調整可能としたマイクロホンスタンドにおいて、テーブルなどの基台に設置されるベースフレームと、パイプ挿通孔を有し、同パイプ挿通孔内に上記支持パイプを保持する球体と、上記球体を任意の回転位置に固定した状態で上記ベースフレーム内に支持するマウント部材とを備えていることを特徴とするマイクロホンスタンド。
【請求項２】
上記球体は一対の半球体の組み合わせからなり、その各半球体の接合面には上記パイプ挿通孔を構成する半円溝がそれぞれ形成されていることを特徴とする請求項１に記載のマイクロホンスタンド。
【請求項３】
上記各半球体の接合面には、凹凸嵌合要素からなる位置決め手段が設けられていることを特徴とする請求項２に記載のマイクロホンスタンド。
【請求項４】
上記マウント部材は、圧縮変形可能な所定の厚さを有するゴム材からなり、周縁部が上記ベースフレーム内に係止されるとともに、中央部に上記球体が収納される開口部を有するダンパープレートと、上記開口部の周辺の表裏両面にそれぞれ配置された一対のロックリングと、同ロックリングを介して上記開口部の周辺を圧縮して同開口部の内縁を上記球体に当接させる緊締手段とを備えていることを特徴とする請求項１に記載のマイクロホンスタンド。
【請求項５】
上記ダンパープレートに対して、その開口部と同径の開口部を有する第２ダンパープレートが積層されていることを特徴とする請求項４に記載のマイクロホンスタンド。
【請求項６】
上記各ロックリングの内径は、上記球体の直径よりも小径とされていることを特徴とする請求項４に記載のマイクロホンスタンド。
【請求項７】
上記各ロックリングには、上記ダンパープレートに食い込み可能な突起が形成されていることを特徴とする請求項４に記載のマイクロホンスタンド。
【発明の詳細な説明】
【０００１】
【発明の属する分野】
本発明は支持パイプに取り付けられたマイクロホンをその支持パイプを介して角度、方向および高さの全方向にわたって調整可能に支持するマイクロホンスタンドに関し、さらに詳しく言えば、会議場などでの発言台やテーブルなどに恒久的に設置されるマイクロホンスタンドに関するものである。
【０００２】
【従来の技術】
国際会議場を例にして説明すると、議長席のみならず各出席者のテーブルにもマイクロホンが設置されている。この種の会議場では、見栄えがシンプルであることと、角度や高さ調整の容易性などの点から、いわゆるグースネック型マイクロホンが多用されている。
【０００３】
すなわち、話者の口元に容易に近づけられる点ではフレキシブルパイプが好適であるが、反面、全体がフレキシブルパイプではそのパイプ全体が不規則的に折れ曲がるため、特にＴＶ放映などでは雑然とした感となり、見栄えが好ましくない。
【０００４】
これに対して、グースネック型マイクロホンは、フレキシブルパイプを有するものの、それは一部分であり、他の部分に折れ曲がらないパイプを用いているため、会議場を見渡した場合、各テーブルに整然として並べられるため、見栄えがよい。また、フレキシブルパイプにてマイクロホンの角度および方向が調整可能であり、この折れ曲がらないパイプに伸縮可能なスライドパイプを用いた場合にはマイクロホンの長さ方向も調節できる。
【０００５】
ところで、ユニットマイクロホンは、コンデンサ型、ダイナミック型に関わらず振動雑音を拾いやすい。したがって、会議中に触られたり、擦られたり、また、勝手に移動されると、音声と同時に振動雑音が集音され不具合である。
【０００６】
そこで、国際会議場などでは、マイクロホンを勝手に移動できないようにするため、そのマイクロホンスタンドをボルト付けなどにより、テーブルの所定位置に固定するようにしている。
【０００７】
【発明が解決しようとする課題】
しかしながら、従来のマイクロホンでは、なおも次のような課題がある。すなわち、高さ調整はスライドパイプの長さの範囲内に制限される。また、そのスライドパイプがマイクロホンスタンドに固定されており、しかもフレキシブルパイプ自体が短いため、角度や方向調整にしても、そのフレキシブルパイプを曲げられる範囲内に限られてしまう。
【０００８】
特に、マイクロホンスタンドをテーブルに固定した場合には、調整の自由度がさらに制限されることになり、往々にして、発言のたびに仕方なく話者の方からマイクロホンに近づかなければならない光景を見受ける。
【０００９】
本発明は、上述した課題を解決するためになされたもので、その目的は、テーブルに固定されるマイクロホンスタンドにおいて、マイクロホンの角度、方向および高さを任意に調整することができるようにしたマイクロホンスタンドを提供することにある。
【００１０】
【課題を解決するための手段】
上記目的を達成するため、本発明は、先端にマイクロホンが取り付けられた支持パイプを、角度、方向および高さを含めて任意に調整可能としたマイクロホンスタンドにおいて、テーブルなどの基台に設置されるベースフレームと、パイプ挿通孔を有し、同パイプ挿通孔内に上記支持パイプを保持する球体と、上記球体を任意の回転位置に固定した状態で上記ベースフレーム内に支持するマウント部材とを備えていることを特徴としている。
【００１１】
本発明において、上記球体は一対の半球体の組み合わせからなり、その各半球体の接合面には上記パイプ挿通孔を構成する半円溝がそれぞれ形成されていることが好ましい。
【００１２】
また、上記各半球体の接合面には、凹凸嵌合要素からなる位置決め手段が設けられていることが好ましく、これによれば、２つの半球体を容易に組み合わせすることができる。
【００１３】
本発明において、上記マウント部材は、圧縮変形可能な所定の厚さを有するゴム材からなり、周縁部が上記ベースフレーム内に係止されるとともに、中央部に上記球体が収納される開口部を有するダンパープレートと、上記開口部の周辺の表裏両面にそれぞれ配置された一対のロックリングと、同ロックリングを介して上記開口部の周辺を圧縮して同開口部の内縁を上記球体に当接させる緊締手段とを備えている。
【００１４】
この場合、上記ダンパープレートに対して、その開口部と同径の開口部を有する第２ダンパープレートが積層されていてもよい。
【００１５】
本発明において、上記各ロックリングの内径は、上記球体の直径よりも小径とされていることが好ましく、これによれば、球体の脱落を確実に防止することができる。
【００１６】
また、上記各ロックリングには、上記ダンパープレートに食い込み可能な突起が形成されていることが好ましく、これによれば、上記ダンパープレートをより効果的に圧縮変形させることが可能となる。
【００１７】
【発明の実施の形態】
次に、本発明を添付図面に示されている実施例に基づいて、より詳しく説明する。
【００１８】
図１に示されているように、本発明のマイクロホンスタンド１は、マイクロホン本体２を支持した状態で基台としてのテーブル１０に固定される。ここで、マイクロホン本体２は、マイクロホンユニット２１と、先端に同マイクロホンユニット２１が取り付けられたフレキシブルパイプ２２およびその後端に接続された支持パイプ２３とを備えている。なお、支持パイプ２３は金属パイプもしくは合成樹脂パイプのいずれであってもよい。
【００１９】
マイクロホン本体２は、その支持パイプ２３を介してマイクロホンスタンド１に角度、方向および高さ調整可能に支持されるが、図２には支持パイプ２３を特定の位置に固定する前の状態におけるマイクロホンスタンド１の断面が示されている。
【００２０】
これによると、マイクロホンスタンド１は、テーブル１０上に載置されるベースフレーム４と、支持パイプ２３を挿通保持する球体３と、ベースフレーム４内において球体３を支持するマウント部材５とを備えている。なお、テーブル１０には、球体３および同球体３に挿通された支持パイプ２３のための開口部１０ａが設けられている。
【００２１】
この実施例において、球体３は図３（ａ）に示されているように、一対の半球体３１，３１の組み合わせ体からなる。同図（ｂ）にも示されているように、各半球体３１，３１の合わせ面には、その直径線に沿って半円溝３１ａ，３１ａがそれぞれ設けられており、この半円溝３１ａ，３１ａの組み合わせにより、支持パイプ２３のパイプ挿通孔３３が形成されている。
【００２２】
また、半球体３１，３１の各合わせ面には、互いに嵌合する突起３２ａと凹部３２ｂとからなる位置決め手段が設けられており、これにより組み合わせ作業を容易にしている。なお、この実施例では突起３２ａと凹部３２ｂとが２対設けられている。
【００２３】
次ぎに、図４（ａ）を参照すると、この実施例において、ベースフレーム４は、四角形状の枠体からなり、その中央部にはマウント部材５および球体３が配置される円形の開口部４ａが設けられている。また、その四隅には、このベースフレーム４をテーブル１０に固定するためのネジ９（図１参照）が螺合されるネジ孔４ｂがそれぞれ設けられている。
【００２４】
図４（ｂ）の断面図を参照すると、ベースフレーム４の開口部４ａの周縁部には、マウント部材５をテーブル１０との間で一体的に保持するための鈎部４１が形成されている。
【００２５】
再び図２を参照すると、マウント部材５は、球体３を所定の回転位置に固定した状態でベースフレーム４内に支持するダンパー６を備えている。この実施例によると、ダンパー６は互いに積層される第１および第２の２つのダンパープレート６０，６１から構成されている。
【００２６】
図５には、その内の第１ダンパープレート６０の平面図およびそのＢ−Ｂ線断面図が示されている。この第１ダンパープレート６０は、所定の厚さを有し、ベースフレーム４内にほぼ合致する大きさとされた圧縮変形可能なゴム板から作られている。なお、ゴム材に限らずゴム弾性を呈する材質であれば、それもこのダンパープレート材として適用可能である。
【００２７】
第１ダンパープレート６０のほぼ中央部には、球体３よりも僅かに大きい直径を有する開口部６０ａが設けられているとともに、この開口部６０ａの周りには４つの透孔６０ｂが穿設されている。また、この第１ダンパープレート６０の四隅には、ベースフレーム４をテーブル１０に固定する際に挿通されるネジ９の挿通孔６０ｃがそれぞれ設けられている。
【００２８】
図６には、第２ダンパープレート６１の平面図およびそのＣ−Ｃ線断面図が示されている。第２ダンパープレート６１も、第１ダンパープレート６０と同様に、その材質は所定の厚さを有する圧縮変形可能なゴム板からなるが、その形状は第１ダンパープレート６０よりも小さな円板とされている。
【００２９】
この第２ダンパープレート６１の中央部にも、第１ダンパープレート６０の開口部６０ａと同径の開口部６１ａが設けられている。また、開口部６１ａの周りにも、第１ダンパープレート６０の透孔６０ｂと同軸関係となるように４つの透孔６１ｂが穿設されている。
【００３０】
この実施例によると、ダンパー６は、図７に示されている第３ダンパープレート６１をさらに備えている。この第３ダンパープレート６２は、図２に示されているように、ベースフレーム４をテーブル１０に固定する際、第１ダンパープレート６０とテーブル１０との間に介装されるもので、この第３ダンパープレート６２には、ベースフレーム４の開口部４ａとほぼ同径の開口部６２ａと、ネジ９を挿通するための４つの挿通孔６２ｂとが形成されている。
【００３１】
なお、この実施例とは異なり、第２ダンパープレート６１は第１ダンパープレート６０と同形であってもよい。また、第１、第２および第３ダンパープレート６０〜６２をそれぞれ別部材として構成することなく、それらを一体に形成するようにしてもよい。
【００３２】
再び図２を参照すると、マウント部材５は、上記第１および第２ダンパープレート６０，６１の表裏両面に配置されて、緊締用ネジ８にて同ダンパープレート６０，６１をその厚さ方向に圧縮する第１および第２のロックリング７０，７１を備えている。
【００３３】
図８には、その内の第１ダンパープレート６０上に配置される第１ロックリング７０の平面図とそのＥ−Ｅ線断面が図解されている。この第１ロックリング７０は、硬質合成樹脂もしくは金属からなり、その中央部には球体３の直径よりも小径の開口部７０ａが設けられているとともに、その周囲には緊締用ネジ８が螺合される４つの雌ネジ孔７０ｂが設けられている。
【００３４】
また、断面図である図８（ｂ）に示されているように、この第１ロックリング７０の第１ダンパープレート６０と当接する面には、同第１ダンパープレート６０に食い込み可能な突起７０ｃが開口部７０ａの周縁に沿って環状設けられている。
【００３５】
図９に、第２ダンパープレート６１側に配置される第２ロックリング７１の平面図およびそのＦ−Ｆ線断面を示すが、この第２ロックリング７１は第１ロックリング７０を上下反転させたものであるため、その各構成要素に第１ロックリング７０と同様なサフィックスを付し、その説明に代える。
【００３６】
次に、このマイクロホンスタンド１の組立手順の一例について説明する。まず、半球体３１，３１をそれらの半円溝３１ａ内に支持パイプ２３を挟み込むようにして組み合わせて球体３とする。
【００３７】
第１および第２ダンパープレート６０，６１をそれらの開口部６０ａ，６１ａが同心となるように積層し、それらの開口部６０ａ，６１ａ内に球体３を嵌合する。そして、第１および第２ロックリング７０，７１をダンパープレート６０，６１の積層体の表裏両面に配置し、ロックリング７０，７１の各雌ネジ孔７０ｂ，７１ｂに緊締用ネジ８を取り付ける。
【００３８】
このようにして組み立てたマウント部材５をベースフレーム４内に組み付けるとともに、第１ダンパープレート６０に第３ダンパープレート６２を添設して、ベースフレーム４をテーブル１０上に載置して、ネジ９にて固定する。
【００３９】
そして、図２に示されているように、球体３を締め付けていない状態で、支持パイプ２３の角度、方向および長さを所定にセッティングした後、緊締用ネジ８を強固に締め付ける。
【００４０】
この緊締用ネジ８の締め付けにより、図１０に示されているように、第１および第２ロックリング７０，７１を介してダンパープレート６０，６１がその厚さ方向に圧縮され、これに伴なって同ダンパープレート６０，６１の開口部６０ａ，６１ａの内縁が球体３に当接する。これにより、球体３がセッティングされた状態で固定されることになる。
【００４１】
このようにして、本発明によると、マイクロホン本体２を球体３を介して、その角度、方向および高さを含めて任意に調整することができ、かつ、その調整位置に確実に固定することができる。なお、緊締用ネジ８を例えば蝶ボルトなどの手回し可能なネジとすることにより、誰でもが簡単にマイクロホンの位置を簡単に調整することが可能になる。
【００４２】
また、緊締用ネジ８を球体３がマイクロホン本体２の自重により回転しない程度の範囲でゆるめに締め付け、球体３を力を加えれば回転可能な状態としておくことにより、わざわざ緊締用ネジ８を操作するまでもなく、マイクロホンの位置を簡単に調整することができる。
【００４３】
【発明の効果】
以上説明したように、本発明によれば、グースネック型マイクロホンにおいて、そのマイクロホンスタンドがテーブルなどの基台に固定されていても、マイクロホンを角度、方向および高さを含む全方向に任意に調整することができる。
【００４４】
したがって、多数のマイクロホンを必要とし、かつ、ＴＶ放映などが予想される特に国際会議場などにおいて見栄えがよく、しかも主催者側および話者の双方にとって操作性が良好であるマイクロホン装置を提供することができる。
【図面の簡単な説明】
【図１】本発明に係るマイクロホンスタンドの一実施例を示した全体斜視図。
【図２】本発明のマイクロホンスタンドの、球体を緊締する前の状態を示した断面図。
【図３】本発明のマイクロホンスタンドに用いられる球体を構成する一対の半球体を示した平面図およびその一方の半球体の組み合わせ面を示した正面図。
【図４】本発明のマイクロホンスタンドのベースフレームの平面図およびそのＡ−Ａ線断面図。
【図５】本発明のマイクロホンスタンドの第１ダンパープレートの平面図およびそのＢ−Ｂ線断面図。
【図６】本発明のマイクロホンスタンドの第２ダンパープレートの平面図およびそのＣ−Ｃ線断面図。
【図７】本発明のマイクロホンスタンドの第３ダンパープレートの平面図およびそのＤ−Ｄ線断面図。
【図８】本発明のマイクロホンスタンドの第１ロックリングの平面図およびそのＥ−Ｅ線断面図。
【図９】本発明のマイクロホンスタンドの第２ロックリングの平面図およびそのＦ−Ｆ線断面図。
【図１０】本発明のマイクロホンスタンドの、ロックリングにて球体を緊締した状態を示した図２と同様の断面図。
【符号の説明】
１  マイクロホンスタンド
２  マイクロホン本体
２１  マイクロホンユニット
２２  フレキシブルパイプ
２３  支持パイプ
３  球体
３１  半球体
３１ａ  半円溝
３３  パイプ挿通孔
４  ベースフレーム
５  マウント部材
６  ダンパー
６０  第１ダンパープレート
６１  第２ダンパープレート
６２  第３ダンパープレート
７０  第１ロックリング
７１  第２ロックリング
８  緊締ネジ
１０  テーブル
【図１】
0003905223.tif 000002
【図２】
0003905223.tif 000003
【図３】
0003905223.tif 000004
【図４】
0003905223.tif 000005
【図５】
0003905223.tif 000006
【図６】
0003905223.tif 000007
【図７】
0003905223.tif 000008
【図８】
0003905223.tif 000009
【図９】
0003905223.tif 000010
【図１０】
0003905223.tif 000011